(57)【要約】【課題】被検出物の位置検出精度の低下を抑制するとともに、誤検出の発生を抑制することが可能な構成を備えた液体吐出装置を提供すること。【解決手段】プリンタは、発光面４１ａを有する発光部４１と、受光面４２ａを有する受光部４２と、リニアスケール３１と、リニアスケール３１に固定されるとともに、発光面４１ａや受光面４２ａの清掃を行う清掃部材８３とを備えている。リニアスケール３１は、第１透光部３１ｆおよび第１遮光部３１ｅが交互に形成され、キャリッジの位置を検出する位置検出パターン３１ｂと、第２透光部３１ｈおよび第２遮光部３１ｇが交互に形成され、リニアスケール３１の汚れを検出する汚れ検出パターン３１ｃとを備えている。このプリンタでは、汚れ検出パターン３１ｃでリニアスケール３１の汚れが検出されたとき、清掃部材８３によって発光面４１ａや受光面４２ａの清掃を行う。【選択図】図８
2007160715.tif 000002
【特許請求の範囲】
【請求項１】
被検出物の位置を検出する位置検出装置と、所定の媒体に液体を吐出する液体吐出部とを備える液体吐出装置において、
上記位置検出装置は、光を発光する発光面を有する発光部と、該発光部からの光を受光する受光面を有する受光部と、上記発光面と上記受光面との間に配設されるスケールと、該スケールに固定されるとともに、上記発光面および上記受光面の少なくともいずれか一方に当接して上記発光面および上記受光面の少なくともいずれか一方の清掃を行う清掃部材とを備え、
上記スケールは、上記被検出物の位置を検出するために、上記発光部からの光を透過する第１透光部および上記発光部からの光を遮断する第１遮光部が少なくとも上記被検出物の検出範囲内で交互に形成される位置検出パターンと、上記スケールの汚れを検出するために、上記発光部からの光を透過する第２透光部および上記発光部からの光を遮断する第２遮光部が交互に形成される汚れ検出パターンとを備え、
さらに、上記汚れ検出パターンにおける上記受光部での受光結果に基づいて上記スケールの汚れを検出する汚れ検出手段と、上記発光部および上記受光部に対して上記清掃部材を相対移動させる清掃部材移動手段とを備え、
上記汚れ検出手段で上記スケールの汚れが検出されたときに、上記清掃部材移動手段で相対移動する上記清掃部材によって上記発光面および上記受光面の少なくともいずれか一方の清掃を行うことを特徴とする液体吐出装置。
【請求項２】
前記清掃部材は、前記位置検出パターンが形成される領域および前記汚れ検出パターンが形成される領域と異なる領域で前記スケールに固定されていることを特徴とする請求項１記載の液体吐出装置。
【請求項３】
前記スケールは、長尺の薄板状に形成されたリニアスケールであり、
前記汚れ検出パターンは、上記リニアスケールの長手方向における前記位置検出パターンの外側に配置され、前記清掃部材は、上記長手方向における前記汚れ検出パターンの外側に配置されていることを特徴とする請求項２記載の液体吐出装置。
【請求項４】
前記スケールは、長尺の薄板状に形成されたリニアスケールであり、
前記汚れ検出パターンは、上記リニアスケールの長手方向における前記位置検出パターンの外側に配置され、前記清掃部材は、上記リニアスケールの短手方向で前記位置検出パターンおよび／または前記汚れ検出パターンに隣接して配置されていることを特徴とする請求項２記載の液体吐出装置。
【請求項５】
前記スケールは、長尺の薄板状に形成されたリニアスケールであり、
前記汚れ検出パターンは、上記リニアスケールの短手方向で前記位置検出パターンに隣接して配置され、前記清掃部材は、上記リニアスケールの長手方向における前記位置検出パターンおよび／または前記汚れ検出パターンの外側に配置されていることを特徴とする請求項２記載の液体吐出装置。
【請求項６】
前記スケールは、長尺の薄板状に形成されたリニアスケールであり、
前記汚れ検出パターンは、上記リニアスケールの短手方向で前記位置検出パターンに隣接して配置され、前記清掃部材は、上記短手方向で前記位置検出パターンまたは前記汚れ検出パターンに隣接して配置されていることを特徴とする請求項２記載の液体吐出装置。
【請求項７】
前記スケールは、円板状に形成されたロータリスケールであり、
前記汚れ検出パターンは、前記位置検出パターンよりも上記ロータリスケールの径方向内側に配置され、前記清掃部材は、前記汚れ検出パターンよりも上記ロータリスケールの径方向内側に配置されていることを特徴とする請求項２記載の液体吐出装置。
【請求項８】
前記第２透光部には、前記第２透光部の前記発光部からの光の透過面積を前記第１透光部の前記発光部からの光の透過面積よりも小さくする、または、前記第２透光部の前記発光部からの光の透過率を前記第１透光部の前記発光部からの光の透過率よりも低くする遮光パターンが形成されていることを特徴とする請求項１から７いずれかに記載の液体吐出装置。
【発明の詳細な説明】
【技術分野】
【０００１】
本発明は、液体吐出装置に関する。
【背景技術】
【０００２】
紙等の所定の媒体へ液体を吐出する液体吐出装置としてインクジェットプリンタが知られている。このインクジェットプリンタには、媒体となる印刷用紙を搬送する搬送ローラを駆動するための紙送りモータや、印刷ヘッドが搭載されたキャリッジを駆動するためのキャリッジモータ等の各種のモータが搭載されている。かかるモータとしては、静音化等の目的で、ＤＣモータが広く利用されている。ＤＣモータが搭載されるインクジェットプリンタは、ＤＣモータの位置制御や速度制御等を行うための位置検出装置として、発光素子と受光素子とを有するフォトセンサと、発光素子からの光を透過する透光部と発光素子からの光を遮断する遮光部とが交互に形成されたスケールとから構成されるエンコーダを備えている。
【０００３】
また、インクジェットプリンタでは、印刷ヘッドからインク滴が吐出される際、インク滴が印刷用紙等の印刷面に到達するまでの間、あるいは、インク滴が印刷面に到達した際に、インク滴の一部が霧状になって空気中を浮遊するインクミストが発生し、発生したインクミストはプリンタ内部の各構成に付着することが知られている。そして、このインクミストがフォトセンサやスケールに付着すると、エンコーダで誤検出が生じやすくなる。そこで、エンコーダでの誤検出の発生を抑制するため、スケールに付着したインクミストを除去する清掃部材を備えたインクジェットプリンタが提案されている（たとえば、特許文献１参照）。
【０００４】
特許文献１に開示されたインクジェットプリンタでは、リニアスケールの両面に当接するウレタン樹脂等の清掃部材が、キャリッジに取り付けられたフォトセンサに固定されている。そして、キャリッジの往復移動に伴って、清掃部材がリニアスケールの両面と摺動することで、リニアスケールの清掃が行われている。また、このインクジェットプリンタでは、ロータリスケールの両面に当接するウレタン樹脂等の清掃部材が、所定のブラケットに取り付けられたフォトセンサに固定されている。そして、ロータリスケールの回転に伴って、清掃部材がロータリスケールの両面と摺動することで、ロータリスケールの清掃が行われている。なお、特許文献１に開示されたインクジェットプリンタでは、リニアエンコーダやロータリエンコーダがキャリッジや搬送ローラの位置を検出する際にも、清掃部材が、リニアスケールおよびロータリスケールと常時摺動している。
【０００５】
【特許文献１】特開２００２−３６１９０１号公報（図５〜図７等参照）
【発明の開示】
【発明が解決しようとする課題】
【０００６】
しかしながら、特許文献１に記載されたインクジェットプリンタでは、清掃部材がフォトセンサに固定され、キャリッジや搬送ローラの位置を検出する際にも、清掃部材はスケールと摺動している。そのため、高精度の印刷が要求される近年のインクジェットプリンタでは、従来、それほど問題にはならなかった清掃部材とスケールとの摺動抵抗が問題となってくる。すなわち、清掃部材とスケールとの摺動抵抗によるスケールやフォトセンサの振動、あるいは、キャリッジや搬送ローラの速度の低下等に起因して、エンコーダでの位置検出精度が低下するといった問題が生じる。また、その結果、高精度での印刷が困難になるといった問題が生じる。
【０００７】
そこで、本発明の課題は、被検出物の位置検出精度の低下を抑制するとともに、誤検出の発生を抑制することが可能な構成を備えた液体吐出装置を提供することにある。
【課題を解決するための手段】
【０００８】
上記の課題を解決するため、本発明は、被検出物の位置を検出する位置検出装置と、所定の媒体に液体を吐出する液体吐出部とを備える液体吐出装置において、位置検出装置は、光を発光する発光面を有する発光部と、発光部からの光を受光する受光面を有する受光部と、発光面と受光面との間に配設されるスケールと、スケールに固定されるとともに、発光面および受光面の少なくともいずれか一方に当接して発光面および受光面の少なくともいずれか一方の清掃を行う清掃部材とを備え、スケールは、被検出物の位置を検出するために、発光部からの光を透過する第１透光部および発光部からの光を遮断する第１遮光部が少なくとも被検出物の検出範囲内で交互に形成される位置検出パターンと、スケールの汚れを検出するために、発光部からの光を透過する第２透光部および発光部からの光を遮断する第２遮光部が交互に形成される汚れ検出パターンとを備え、さらに、汚れ検出パターンにおける受光部での受光結果に基づいてスケールの汚れを検出する汚れ検出手段と、発光部および受光部に対して清掃部材を相対移動させる清掃部材移動手段とを備え、汚れ検出手段でスケールの汚れが検出されたときに、清掃部材移動手段で相対移動する清掃部材によって発光面および受光面の少なくともいずれか一方の清掃を行うことを特徴とする。
【０００９】
本発明の液体吐出装置は、発光面や受光面に当接して発光面や受光面の清掃を行う清掃部材を備えている。そのため、発光面や受光面の汚れを除去することができ、位置検出装置での誤検出の発生を抑制することができる。また、本発明の位置検出装置では、清掃部材はスケールに固定されている。そのため、被検出物の位置検出を行う際に発光面や受光面に常時当接しない位置で、スケールに清掃部材を固定することができる。その結果、被検出物の位置検出精度の低下を抑制することができる。
【００１０】
また、本発明の液体吐出装置では、スケールが、被検出物の位置を検出するための位置検出パターンに加え、第２透光部および第２遮光部が交互に形成される汚れ検出パターンを備え、汚れ検出パターンにおける受光部での受光結果に基づいてスケールの汚れを検出する汚れ検出手段でスケールの汚れが検出されたときに、清掃部材によって発光面や受光面の清掃を行う。すなわち、本発明の液体吐出装置では、発光部から発光され第２透光部を透過する光の受光部での検出結果からスケールの汚れが検出されたとき（すなわち、スケールの汚れの程度が一定の限界値に到達したとき）には、発光面や受光面にも汚れが生じていると推定されるため、発光面や受光面の清掃を行う。そのため、発光面や受光面の清掃が必要となる適切な時期にのみ、発光面や受光面の清掃をすることができる。すなわち、発光面や受光面の清掃が不要のときには、清掃を行わないようにすることができ、無駄な清掃動作を省くことができる。
【００１１】
本発明において、清掃部材は、位置検出パターンが形成される領域および汚れ検出パターンが形成される領域と異なる領域でスケールに固定されていることが好ましい。このように構成すると、被検出物の位置検出やスケールの汚れの検出に影響を与えることなく、発光面や受光面の清掃を行うことができる。すなわち、被検出物の位置検出精度やスケールの汚れ検出精度を低下させることなく、清掃部材によって、発光面や受光面の清掃を行うことができる。
【００１２】
本発明において、スケールは、長尺の薄板状に形成されたリニアスケールであり、汚れ検出パターンは、リニアスケールの長手方向における位置検出パターンの外側に配置され、清掃部材は、長手方向における汚れ検出パターンの外側に配置されていることが好ましい。このように構成すると、被検出物の位置検出に影響を与えることなく、リニアスケールの汚れを検出することができる。また、被検出物の位置検出時に、リニアスケールの長手方向に相対的に移動する発光部および受光部をさらに、リニアスケールの長手方向へ相対的に移動させるという簡易な構成で、リニアスケールの汚れの検出と、発光面や受光面の清掃とを行うことができる。
【００１３】
本発明において、スケールは、長尺の薄板状に形成されたリニアスケールであり、汚れ検出パターンは、リニアスケールの長手方向における位置検出パターンの外側に配置され、清掃部材は、リニアスケールの短手方向で位置検出パターンおよび／または汚れ検出パターンに隣接して配置されていることが好ましい。このように構成すると、被検出物の位置検出に影響を与えることなく、リニアスケールの汚れを検出することができる。また、被検出物の位置検出時に、リニアスケールの長手方向に相対的に移動する発光部および受光部をさらに、リニアスケールの長手方向へ相対的に移動させるという簡易な構成で、リニアスケールの汚れの検出を行うことができる。さらに、清掃部材を、リニアスケールの短手方向で位置検出パターンや汚れ検出パターンに隣接して配置することでリニアスケールの長手方向で、位置検出装置の小型化を図ることができる。
【００１４】
本発明において、スケールは、長尺の薄板状に形成されたリニアスケールであり、汚れ検出パターンは、リニアスケールの短手方向で位置検出パターンに隣接して配置され、清掃部材は、リニアスケールの長手方向における位置検出パターンおよび／または汚れ検出パターンの外側に配置されていることが好ましい。このように構成すると、リニアスケールの長手方向に発光部や受光部が移動することで行われる被検出物の位置検出に影響を与えることなく、リニアスケールの汚れを検出することができる。また、被検出物の位置検出時に、リニアスケールの長手方向に相対的に移動する発光部および受光部をさらに、リニアスケールの長手方向へ相対的に移動させるという簡易な構成で、発光面や受光面の清掃を行うことができる。
【００１５】
本発明において、スケールは、長尺の薄板状に形成されたリニアスケールであり、汚れ検出パターンは、リニアスケールの短手方向で位置検出パターンに隣接して配置され、清掃部材は、短手方向で位置検出パターンまたは汚れ検出パターンに隣接して配置されていることが好ましい。このように構成すると、被検出物の位置検出に影響を与えることなく、リニアスケールの汚れを検出することができる。また、リニアスケールの長手方向で、位置検出装置の小型化を図ることができる。
【００１６】
本発明において、スケールは、円板状に形成されたロータリスケールであり、汚れ検出パターンは、位置検出パターンよりもロータリスケールの径方向内側に配置され、清掃部材は、汚れ検出パターンよりもロータリスケールの径方向内側に配置されていることが好ましい。このように構成すると、被検出物の位置検出に影響を与えることなく、ロータリスケールの汚れを検出することができる。また、ロータリスケールの径方向で、位置検出装置の小型化を図ることができる。
【００１７】
本発明において、第２透光部には、第２透光部の発光部からの光の透過面積を第１透光部の発光部からの光の透過面積よりも小さくする、または、第２透光部の発光部からの光の透過率を第１透光部の発光部からの光の透過率よりも低くする遮光パターンが形成されていることが好ましい。このように構成すると、スケールの汚れによって、第２透光部では、第１透光部に比べ、光が遮断されやすくなる。そのため、被検出物の位置を検出するために用いられる第１透光部において、光が遮断され、位置検出装置での誤検出が発生する前に、第２透光部を透過する光の受光部での検出結果からスケールの汚れを検出することができる。
【発明を実施するための最良の形態】
【００１８】
以下、本発明の実施の形態にかかる液体吐出装置を図面に基づいて説明する。
【００１９】
（液体吐出装置の概略構成）
図１は、本発明の実施の形態にかかる液体吐出装置（プリンタ）１の概略構成を示す斜視図である。図２は、図１のプリンタ１の紙送りに関する部分の概略構成を示す概略側面図である。図３は、図１のキャリッジ３および図２のＰＦ駆動ローラ６の検出機構を模式的に示す概略構成図である。
【００２０】
本形態の液体吐出装置１は、媒体としての印刷用紙Ｐ等に対して液体状のインクを吐出して印刷を行うインクジェットプリンタである。以下では、本形態の液体吐出装置１をプリンタ１と表記する。本形態のプリンタ１は、図１から図３に示すように、インク滴を吐出する印刷ヘッド２が搭載されたキャリッジ３と、主走査方向ＭＳへキャリッジ３を駆動するキャリッジモータ（ＣＲモータ）４と、印刷用紙Ｐを副走査方向ＳＳへ搬送する紙送りモータ（ＰＦモータ）５と、ＰＦモータ５に連結されたＰＦ駆動ローラ６と、印刷ヘッド２のノズル面（図２の下面）と対向するように配置されたプラテン７と、これらの構成が搭載された本体シャーシ８とを備えている。本形態では、ＣＲモータ４とＰＦモータ５とは、ともに直流（ＤＣ）モータである。
【００２１】
また、プリンタ１は、図２に示すように、印刷前の印刷用紙Ｐが載置されるホッパ１１と、ホッパ１１に載置された印刷用紙Ｐをプリンタ１の内部へ取り込むための給紙ローラ１２および分離パッド１３と、ホッパ１１からプリンタ１の内部へ取り込まれた印刷用紙Ｐの通過を検出する紙検出器１４と、プリンタ１の内部から印刷用紙Ｐを排出する排紙駆動ローラ１５とを備えている。
【００２２】
なお、プリンタ１では、図１の右側（図２の紙面手前側）がキャリッジ３のホームポジション側になっている。以下では、プリンタ１におけるキャリッジ３のホームポジション側を０桁側と表記し、プリンタ１におけるキャリッジ３のホームポジションと反対側（図１の左側、図２の紙面奥側）を８０桁側と表記する。
【００２３】
キャリッジ３は、本体シャーシ８に固定された支持フレーム１６に支持されたガイドシャフト１７と、タイミングベルト１８とによって主走査方向ＭＳに搬送可能に構成されている。すなわち、タイミングベルト１８は、その一部がキャリッジ３に固定されるとともに（図２参照）、ＣＲモータ４の出力軸に取り付けられたプーリ１９と支持フレーム１６に回転可能に取り付けられたプーリ２０とに掛け渡された状態で一定の張力を有するように配設されている。ガイドシャフト１７は、キャリッジ３を主走査方向ＭＳへ案内するように、キャリッジ３を摺動可能に保持している。また、キャリッジ３には、印刷ヘッド２に加え、印刷ヘッド２に供給される各種のインクが収納されたインクカートリッジ２１が搭載されている。
【００２４】
印刷ヘッド２には、図示を省略する複数のノズルが配設されている。また、印刷ヘッド２には、たとえば、各ノズルに対応するように、電歪素子の１つであって応答性に優れるピエゾ素子（図示省略）が配設されている。より具体的には、ピエゾ素子は、インク通路（図示省略）を形成する壁面に接する位置に配設されている。そして、このピエゾ素子の動作によって壁面が押されることで、印刷ヘッド２は、インク通路の端部に配設されたノズルからインク滴を吐出する。このように、本形態では、印刷ヘッド２は、印刷用紙Ｐに対して液体状のインクを吐出する液体吐出部となっている。また、インクカートリッジ２１には、たとえば、発色が良く画質に優れる染料系インクや、耐水性や耐光性に優れる顔料系インク等が収納されている。
【００２５】
給紙ローラ１２は、図示を省略するギアを介してＰＦモータ５に連結され、ＰＦモータ５によって駆動される。ホッパ１１は、図２に示すように、印刷用紙Ｐを載置可能な板状部材であり、図示を省略するカム機構によって、上部に設けられた回動軸２２を中心に揺動可能となっている。そして、カム機構による揺動によって、ホッパ１１の下端部が給紙ローラ１２に弾性的に圧接され、また、給紙ローラ１２から離間する。分離パッド１３は、摩擦係数の高い部材から形成され、給紙ローラ１２に対向する位置に配置されている。そして、給紙ローラ１２が回転すると、給紙ローラ１２の表面と分離パッド１３とが圧接する。そのため、給紙ローラ１２が回転すると、ホッパ１１に載置された印刷用紙Ｐのうち、一番上の印刷用紙Ｐは、給紙ローラ１２の表面と分離パッド１３との圧接部分を通過して排紙側へ送られるが、上から２番目以降に載置された印刷用紙Ｐは、分離パッド１３によって、排紙側への搬送が阻止される。
【００２６】
ＰＦ駆動ローラ６は、ＰＦモータ５に直接あるいは図示を省略するギアを介して連結されている。また、図２に示すように、プリンタ１には、ＰＦ駆動ローラ６とともに印刷用紙Ｐを搬送するＰＦ従動ローラ２３が設けられている。ＰＦ従動ローラ２３は、回転軸２５を中心に揺動可能に構成された従動ローラホルダ２４の排紙側に回動可能に保持されている。従動ローラホルダ２４は、図示を省略するバネによって、ＰＦ従動ローラ２３がＰＦ駆動ローラ６へ向かう付勢力を常時受けるように、図示反時計方向へ付勢されている。そして、ＰＦ駆動ローラ６が駆動されると、ＰＦ駆動ローラ６とともに、ＰＦ従動ローラ２３も回転する。
【００２７】
紙検出器１４は、図２に示すように検出レバー２６とセンサ２７とから構成され、従動ローラホルダ２４の近傍に設けられている。検出レバー２６は、回転軸２８を中心に回動可能になっている。そして、図２に示す印刷用紙Ｐの通過状態から、検出レバー２６の下側を印刷用紙Ｐが通過し終わると、検出レバー２６が反時計方向へ回動する。検出レバー２６が回動すると、センサ２７の発光部から受光部へ向かう光を遮断して、印刷用紙Ｐの通過を検出できる構成となっている。
【００２８】
排紙駆動ローラ１５は、プリンタ１の排紙側に配置され、図示を省略するギアを介してＰＦモータ５に連結されている。また、図２に示すように、プリンタ１には、排紙駆動ローラ１５とともに印刷用紙Ｐを排紙する排紙従動ローラ２９が設けられている。排紙従動ローラ２９も、ＰＦ従動ローラ２３と同様に、図示を省略するバネによって、常時、排紙駆動ローラ１５へ向かう付勢力を受けている。そして、排紙駆動ローラ１５が駆動されると、排紙駆動ローラ１５とともに、排紙従動ローラ２９も回転する。
【００２９】
また、プリンタ１は、図２および図３に示すように、主走査方向ＭＳにおけるキャリッジ３の位置やキャリッジ３の速度等を検出する位置検出装置として、リニアスケール３１およびフォトセンサ３２を有するリニアエンコーダ３３を備えている。また、プリンタ１は、図３に示すように、副走査方向ＳＳにおける印刷用紙Ｐの位置や印刷用紙Ｐの搬送速度等（具体的には、ＰＦ駆動ローラ６の回転位置や回転速度等）を検出する位置検出装置として、ロータリスケール３４およびフォトセンサ３５を有するロータリエンコーダ３６を備えている。これらのリニアエンコーダ３３およびロータリエンコーダ３６から出力された信号は、図３に示すように、制御部３７へ入力され、プリンタ１の各種の制御が行われている。なお、本形態では、キャリッジ３が、リニアエンコーダ３３によって位置検出される被検出物となっており、ＰＦ駆動ローラ６がロータリエンコーダ３６によって位置検出される被検出物となっている。また、図１では、便宜上、リニアスケール３１の図示を省略している。
【００３０】
リニアスケール３１は、透明な樹脂等の薄板から長尺状（細長の直線状）に形成されている。このリニアスケール３１は、主走査方向ＭＳと平行に支持フレーム１６に取り付けられている。すなわち、プリンタ１では、リニアスケール３１の短手方向を高さ方向とした状態で、リニアスケール３１が支持フレーム１６に取り付けられている。また、リニアスケール３１は、後述のスケール昇降機構４４（図４等参照）によって、支持フレーム１６に対して上下動できる構成となっている。なお、リニアスケール３１は、ステンレス製の薄鋼板で形成されても良い。
【００３１】
リニアエンコーダ３３を構成するフォトセンサ３２は、図２および図３に示すように、発光部４１と受光部４２とを備え、キャリッジ３に固定されている。より具体的には、フォトセンサ３２は、キャリッジ３の背面（図１の紙面奥側の面）に固定されている。リニアスケール３１およびフォトセンサ３２の詳細な構成については後述する。
【００３２】
ロータリエンコーダ３６を構成するフォトセンサ３５は、図３に示すように、発光素子（図示省略）を有する発光部８１と受光素子（図示省略）を有する受光部８２とを備え、図示を省略するブラケットを介して本体シャーシ８等に固定されている。
【００３３】
ロータリスケール３４は、たとえばステンレス製の薄鋼板や透明な樹脂製の薄板で、円盤状に形成されている。本形態のロータリスケール３４は、ＰＦ駆動ローラ６と一体で回転するように、ＰＦ駆動ローラ６に取り付けられている。すなわち、ＰＦ駆動ローラ６が１回転すると、ロータリスケール３４も１回転する。このロータリスケール３４には、フォトセンサ３５の発光素子からの光を透過する透光部（図示省略）と、フォトセンサ３５の発光素子からの光を遮断する遮光部（図示省略）とが、円周方向に沿って、交互に形成されている。そして、ロータリエンコーダ３６では、発光素子からロータリスケール３４に向かって発光されロータリスケール３４の透光部を透過した光を受光素子が受光して、所定の出力信号が出力される。
【００３４】
なお、透明な樹脂の薄板でロータリスケール３４を形成する場合には、その表面に、円周方向に沿って所定幅の印刷を所定のピッチで施すことで、透光部と遮光部とを形成することができる。また、ステンレス製の薄鋼板でロータリスケール３４を形成する場合には、薄鋼板を貫通するスリット孔を、円周方向に沿って所定のピッチで形成することで、透光部と遮光部とを形成することができる。また、ロータリスケール３４を、ギア等を介してＰＦ駆動ローラ６に連結するようにしても良い。
【００３５】
制御部３７は、ＲＯＭやＲＡＭ等の各種メモリや、各種モータ等の駆動回路、ＣＰＵ、ＡＳＩＣ等を備えている。ＣＰＵおよびＡＳＩＣ等には、リニアエンコーダ３３やロータリエンコーダ３６等からの各出力信号が入力される。なお、本形態では、制御部３７は、リニアスケール３１に形成された後述の汚れ検出パターン３１ｃの部分をフォトセンサ３２が通過したときの受光部４２の受光結果に基づいて、リニアスケール３１の汚れを検出する汚れ検出手段となっている。
【００３６】
（スケール昇降機構の構成）
図４は、図３のリニアスケール３１の一端部の取付状態を示した概略斜視図である。図５は、図４の紙面奥側からリニアスケール３１の一端部の取付状態を示した概略斜視図である。図６は、図４のカム４５と取付ブラケット４６との関係を示す図である。
【００３７】
本形態のプリンタ１は、支持フレーム１６に対して、リニアスケール３１を昇降させるスケール昇降機構４４を備えている。すなわち、上述のように、リニアスケール３１は、スケール昇降機構４４によって支持フレーム１６に対して上下動可能になっている。なお、本形態では、初期状態におけるリニアスケール３１は、たとえば、上限位置に近い位置に配置されており、スケール昇降機構４４によって下降可能となっている。
【００３８】
スケール昇降機構４４は、図４および図５に示すように、支持フレーム１６の一側面１６ａ（図１における右側面）の内側でガイドシャフト１７に固定された偏心カム４５と、リニアスケール３１の一端部（０桁側の端部）が取り付けられ、偏心カム４５によってリニアスケール３１とともに上下動する取付ブラケット４６と、一側面１６ａの外側でガイドシャフト１７の先端に固定された従動ギア４７と、従動ギア４７に図示を省略する駆動モータの動力を伝達する中間ギア４８とを、一側面１６ａ側に備えている。また、スケール昇降機構４４は、他側面１６ｂ（図１における左側面、図１参照）側にも同様に、偏心カム４５、取付ブラケット４６、従動ギア４７、中間ギア４８および駆動モータ（図示省略）を備えている。これらの構成は、一側面１６ａ側に設けられた構成と共通するため、以下では図示および説明を省略する。なお、図１では便宜上、スケール昇降機構４４の図示を省略している。
【００３９】
本形態では、中間ギア４８を介して伝達される駆動モータ（図示省略）の動力によって、ガイドシャフト１７に固定された従動ギア４７が回転する。すなわち、本形態では、ガイドシャフト１７が従動ギア４７とともに回転する。また、ガイドシャフト１７に固定された偏心カム４５も回転する。なお、中間ギア４８は、直接、駆動モータ（図示省略）に連結されても良いし、所定のギア輪列を介して駆動モータに連結されても良い。
【００４０】
偏心カム４５は、外周側にカム面４５ａが形成された略円盤状の部材である。この偏心カム４５は、図６に示すようにたとえば、所定の角度範囲θで回転中心に対する半径が半径ｒ１から半径ｒ１よりも大きな半径ｒ２まで連続的に変化するように形成されている。
【００４１】
取付ブラケット４６は、たとえば、平板状の金属部材で形成され、図４に示すように、偏心カム４５のカム面４５ａに当接する当接部４６ａが形成された基部４６ｂと、リニアスケール３１の端部が取り付けられる取付部４６ｃとから構成されている。
【００４２】
基部４６ｂには、ガイドシャフト１７を挿通するため、上下方向に長い長穴状の貫通孔（図示省略）が形成されている。この貫通孔は、ガイドシャフト１７に対して取付ブラケット４６が上下動可能となるように形成されている。基部４６ｂは、図４に示すように、ガイドシャフト１７が貫通孔に挿通された状態で、偏心カム４５と支持フレーム１６の一側面１６ａとの間に挟まれて配置されている。また、当接部４６ａは、基部４６ｂからプリンタ１の内側に向かって立ち上がるように形成されている。この当接部４６ａの図示下面がカム面４５ａに当接している。さらに、取付部４６ｃは、基部４６ｂの図示上端からプリンタ１の内側に向かって立ち上がるように形成されている。この取付部４６ｃには、リニアスケール３１に形成された後述の取付孔３１ａに係止される係止フック４６ｄが形成されている。なお、取付ブラケット４６は、図示を省略する案内手段によって傾くことなく上下動する構成となっている。
【００４３】
駆動モータ（図示省略）が駆動され、ガイドシャフト１７とともに偏心カム４５が回転すると、カム面４５ａに沿って当接部４６ａが昇降する。すなわち、取付ブラケット４６に取り付けられたリニアスケール３１が昇降する。たとえば、図６に示すように、偏心カム４６が時計方向に回転すると、リニアスケール３１が上昇する。なお、支持フレーム１６の一側面１６ａ側に設けられた取付ブラケット４６と、他側面１６ｂ側に設けられた取付ブラケット４６とは、同期して昇降するように構成されており、リニアスケール３１は水平を保った状態で昇降する。
【００４４】
（リニアエンコーダの構成）
図７は、図３のリニアエンコーダ３３の概略構成を示す模式図である。図８は、図３のリニアスケール３１の８０桁側を示す図であり、（Ａ）は、リニアスケール３１の正面図、（Ｂ）は、リニアスケール３１の上面図である。図９は、図３のリニアエンコーダ３３から出力される信号波形を示す図であり、（Ａ）は、キャリッジ３が０桁側から８０桁側へ移動するときの信号波形を示す図、（Ｂ）は、キャリッジ３が８０桁側から０桁側へ移動するときの信号波形を示す図である。
【００４５】
リニアスケール３１は、上述のように、透明な樹脂等の薄板で長尺状に形成されている。より具体的には、本形態のリニアスケール３１は、たとえば、厚さ１８０μｍの透明なポリエチレンテレフタレート（ＰＥＴ）で形成されている。このリニアスケール３１の長手方向の両端側にはそれぞれ、取付ブラケット４６の係止フック４６ｄが係止される略矩形状の取付孔３１ａが形成されている。また、リニアスケール３１は、図８等に示すように、キャリッジ３の位置を検出するための位置検出パターン３１ｂと、リニアスケール３１の汚れを検出するための汚れ検出パターン３１ｃとを備えている。
【００４６】
位置検出パターン３１ｂは以下のように形成されている。すなわち、印刷用紙Ｐへ印刷を行うため、位置の検出が必要となるキャリッジ３の検出範囲Ｌ（図４および図８参照）では、リニアスケール３１の一方の表面に光を遮断する黒色等の印刷が所定間隔で施されている。より具体的には、検出範囲Ｌでは、図７に示すように、ＰＥＴ製の基材３１ｄの一面（図７では右面）に一定幅Ｈの黒色の印刷が一定のピッチＰで施されている。すなわち、検出範囲Ｌでは、黒色の印刷部分が縦縞をなすように（図４および図５参照）、主走査方向ＭＳでピッチＰを保った状態で、一定幅Ｈの黒色の印刷がリニアスケール３１の短手方向に施されている。この黒色の印刷が施された部分が、フォトセンサ３２の発光部４１からの光を遮断する第１遮光部３１ｅとなっている。また、各第１遮光部３１ｅ間の、黒色の印刷が施されていない部分が、発光部４１からの光を透過する第１透光部３１ｆとなっている。このように、検出範囲Ｌでは、リニアスケール３１に、第１遮光部３１ｅと第１透光部３１ｆとが交互に形成されている。なお、第１透光部３１ｆの幅も、第１遮光部３１ｅと同様に一定幅Ｈとなっている。
【００４７】
汚れ検出パターン３１ｃは、リニアスケール３１の長手方向における位置検出パターン３１ｂの外側（端部側）に配置されている。本形態では、図８（Ａ）に示すように、リニアスケール３１の８０桁側で位置検出パターン３１ｂの外側に隣接するように汚れ検出パターン３１ｃが形成されている。
【００４８】
この汚れ検出パターン３１ｃは、位置検出パターン３１ｂとほぼ同様に形成されている。すなわち、リニアスケール３１の８０桁側の検出範囲Ｌ外には、第１遮光部３１ｅが形成された面と同じ面に光を遮断する黒色等の印刷が所定間隔で施されている。より具体的には、図７における基材３１ｄの右面に一定幅Ｈの黒色の印刷が一定のピッチＰで施されている。すなわち、図８（Ａ）に示すように、８０桁側の検出範囲Ｌ外でも、黒色の印刷部分が縦縞をなすように、長手方向でピッチＰを保った状態で、一定幅Ｈの黒色の印刷がリニアスケール３１の短手方向に施されている。この黒色の印刷が施された部分が、フォトセンサ３２の発光部４１からの光を遮断する第２遮光部３１ｇとなっている。また、各第２遮光部３１ｇ間の、黒色の印刷が施されていない部分が、発光部４１からの光を透過する第２透光部３１ｈとなっている。このように、リニアスケール３１の８０桁側の検出範囲Ｌ外では、リニアスケール３１に、第２遮光部３１ｇと第２透光部３１ｈとが交互に形成されている。なお、第２透光部３１ｈの幅も、第２遮光部３１ｇと同様に一定幅Ｈとなっている。
【００４９】
第２透光部３１ｈには、第２透光部３１ｈの発光部４１からの光の透過面積および透過率を第１透光部３１ｆの発光部４１からの光の透過面積および透過率よりも小さくする遮光パターン３１ｋが形成されている。本形態では、遮光パターン３１ｋは、リニアスケール３１の長手方向に対して傾斜した斜線状の光遮断部３１ｍによって形成されている。より具体的には、基材３１ｄの表面に、光を遮断する黒色等の印刷が長手方向に対してたとえば、４５°傾斜した斜線状に、かつ、一定のピッチで施されることで複数の光遮断部３１ｍが形成されている。そして、この複数の光遮断部３１ｍによって遮光パターン３１ｋが形成されている。この遮光パターン３１ｋによって、第２透光部３１ｈの光の透過面積は、第１透光部３１ｆの光の透過面積に対し一定の比率となっている。すなわち、第２透光部３１ｈの光の透過率は、第１透光部３１ｆの光の透過率に対し一定の比率となっている。たとえば、第２透光部３１ｈの光の透過面積は、第１透光部３１ｆの光の透過面積の８５％となっている。また、第２透光部３１ｈの光の透過率を、たとえば、第１透光部３１ｆの光の透過率の８５％としても良い。
【００５０】
なお、本形態では、図８（Ａ）に示すように、リニアスケール３１には複数（たとえば、３つ）の第２透光部３１ｈが形成され、複数の第２透光部３１ｈの透過面積または透過率は等しくなっている。しかし、複数の第２透光部３１ｈの透過面積または透過率は必ずしも等しくなっている必要はなく、第２透光部３１ｈの透過面積または透過率はそれぞれ異なっていても良い。また、第１遮光部３１ｅ、第２遮光部３１ｇおよび光遮断部３１ｍを構成する黒色の印刷部分の厚さはたとえば、５μｍであり、基材３１ｄの厚さに比べ、非常に薄くなっている。そのため、図８（Ｂ）では、第１遮光部３１ｅ、第２遮光部３１ｇおよび光遮断部３１ｍの図示を省略している。
【００５１】
図８に示すように、リニアスケール３１には、発光部４１および受光部４２の清掃を行う清掃部材８３、８３が固定されている。より具体的には、扁平な直方体状に形成された清掃部材８３、８３が、リニアスケール３１の長手方向における汚れ検出パターン３１ｃの外側（端部側）で、リニアスケール３１の両面のそれぞれに両面テープや接着剤等の固定手段によって固定されている。すなわち、清掃部材８３、８３は、リニアスケール３１の長手方向における位置検出パターン３１ｂの外側（端部側）に固定されている。換言すると、清掃部材８３、８３は、位置検出パターン３１ｂや汚れ検出パターン３１ｃが形成される領域とは異なる領域でリニアスケール３１に固定されている。本形態では、図８に示すように、リニアスケール３１の８０桁側で汚れ検出パターン３１ｃの外側に隣接するように清掃部材８３、８３が固定されている。
【００５２】
清掃部材８３、８３は、たとえば、ウレタン樹脂等の多孔性物質やフェルト、あるいはゴム等で形成されている。また、図８（Ｂ）に示すように、２枚の清掃部材８３、８３の厚さとリニアスケール３１の基材３１ｄの厚さとの和が、発光部４１に形成された後述の発光面４１ａと受光部４２に形成された後述の受光面４２ａとの距離とほぼ同じか、わずかに大きくなるように、２枚の清掃部材８３、８３は形成されている。そのため、フォトセンサ３２がリニアスケール３１の長手方向に移動すると、清掃部材８３、８３は発光面４１ａおよび受光面４２ａに当接して、発光面４１ａおよび受光面４２ａの清掃が行われる。
【００５３】
フォトセンサ３２は、図２および図３に示すように、略直方体形状のハウジングを備えている。このフォトセンサ３２では、ハウジングの一側面（図２の下面）からハウジングの中央部にかけて、凹部３２ａが形成されている。この凹部３２ａにおいて相対向する２つの面（図２の左右方向で対向する２つの面）の一方に発光部４１が配設され、他方に受光部４２が配設されている。より具体的には、図２等に示すように、キャリッジ３側の面に発光部４１が配設されている。凹部３２ａにおいて相対向する２つの面のうち、発光部４１が配設された面が発光面４１ａとなり、受光部４２が配設された面が受光面４２ａとなっている。発光面４１ａと受光面４２ａとの距離は、たとえば、０．５ｍｍ〜１．５ｍｍとなっている。
【００５４】
また、図２等に示すように、フォトセンサ３２は、発光部４１の発光面４１ａと受光部４２の受光面４２ａとによってリニアスケール３１を挟み込むように、キャリッジ３に固定されている。そして、リニアエンコーダ３３では、発光部４１からリニアスケール３１に向かって発光され第１透光部３１ｆや第２透光部３１ｋを透過した光を受光部４２が受光して、所定の出力信号が出力される。
【００５５】
発光部４１は、図７に示すように、発光素子５０と、発光素子５０から出射された光を平行光にするコリメータレンズ５１とを備えている。また、発光面４１ａには、発光素子５０からの光を透過するレンズ（図示省略）が固定されている。発光素子５０は、たとえば発光ダイオードである。この発光素子５０には、可変抵抗５２を介して電流が供給されている。そのため、この可変抵抗５２によって、発光素子５０からの発光量を増減することができる。なお、初期状態では、リニアエンコーダ３３での適切な位置検出が可能な範囲で、発光素子５０からの発光量は可能な限り低くしておくことが好ましい。このようにすると、発光部４１での消費電力を低減することができる。
【００５６】
受光部４２は、図７に示すように、基板５３と、この基板５３上に形成された４つの受光素子５４〜５７とを備えている。また、受光面４２ａには、発光素子５０からの光を透過するレンズ（図示省略）が固定されている。受光素子５４〜５７は、たとえばフォトダイオードであり、受光光量に応じたレベルの信号を出力する。また、受光部４２は、図７に示すように、第１から第４の４つのアンプ５８〜６１と、第１差動信号生成回路６２と、第２差動信号生成回路６３とを備えている。なお、以下では、４つの受光素子５４〜５７を区別して表記する場合には、第１の受光素子５４、第２の受光素子５５、第３の受光素子５６および第４の受光素子５７と表記する。
【００５７】
４つの受光素子５４〜５７は、キャリッジ３の移動方向に沿って、基板５３上に配置されている。具体的には、第１の受光素子５４と第３の受光素子５６とは、それぞれから出力されるレベル信号の位相が１８０°異なるように配置されている。また、第２の受光素子５５と第４の受光素子５７とは、それぞれから出力されるレベル信号の位相が１８０°異なるように配置されている。たとえば、第１の受光素子５４と第３の受光素子５６との配置ピッチ、および第２の受光素子５５と第４の受光素子５７との配置ピッチは、第１遮光部３１ｅと第１透光部３１ｆとによって形成される明暗のピッチＰの２分の１となっている。さらに、第１の受光素子５４と第２の受光素子５５とは、それぞれから出力されるレベル信号の位相が９０°異なるように配置されている。たとえば、第１の受光素子５４と第２の受光素子５５とは、明暗のピッチＰの４分の１の配置ピッチで配置されている。
【００５８】
また、キャリッジ３が移動すると、発光部４１と受光部４２との間において、リニアスケール３１が相対的に移動する。リニアスケール３１の相対的な移動に伴って、受光素子５４〜５７はその受光光量に応じたレベルの信号を出力する。すなわち、第１透光部３１ｆや第２透光部３１ｈの位置に対応する受光素子５４〜５７は、ハイレベルの信号を出力し、第１遮光部３１ｅや第２遮光部３１ｇの位置に対応する受光素子５４〜５７は、ローレベルの信号を出力する。このように、受光素子５４〜５７は、リニアスケール３１の相対移動速度（キャリッジ３の移動速度）に応じた周期で変化するレベル信号を出力する。
【００５９】
図７に示すように、第１から第４の４つのアンプ５８〜６１および、第１差動信号生成回路６２、第２差動信号生成回路６３は、基板５３上に配設されている。
【００６０】
第１のアンプ５８には、第１の受光素子５４が接続され、第１のアンプ５８は、第１の受光素子５４から出力されたレベル信号を増幅した信号を出力する。第２のアンプ５９には第２の受光素子５５が接続され、第２のアンプ５９は、第２の受光素子５５が出力するレベル信号を増幅した信号を出力する。第３のアンプ６０には第３の受光素子５６が接続され、第３のアンプ６０は、第３の受光素子５６が出力するレベル信号を増幅した信号を出力する。第４のアンプ６１には第４の受光素子５７が接続され、第４のアンプ４８は、第４の受光素子５７が出力するレベル信号を増幅した信号を出力する。
【００６１】
第１のアンプ５８と第３のアンプ６０とは、第１差動信号生成回路６２へ、増幅したレベル信号を出力する。第１のアンプ５８により増幅されたレベル信号は、第１差動信号生成回路６２の非反転入力端子に入力され、第３のアンプ６０により増幅されたレベル信号は、第１差動信号生成回路６２の反転入力端子に入力される。第１差動信号生成回路６２は、非反転入力端子に入力される第１のアンプ５８の出力信号のレベルが、反転入力端子に入力される第３のアンプ５９の出力信号のレベルより高い場合、ハイレベルを出力し、逆の場合には、ローレベルを出力する。すなわち、第１差動信号生成回路６２は、図９に示すように、第１遮光部３１ｅと第１透光部３１ｆとによって形成される明暗のピッチＰに対応した周期Ｔのデジタル的な波形のＡ相信号ＳＧ１を出力する。
【００６２】
第２のアンプ５９と第４のアンプ６１とは、第２差動信号生成回路６３へ、増幅したレベル信号を出力する。第２のアンプ５９により増幅されたレベル信号は、第２差動信号生成回路６３の非反転入力端子に入力され、第４のアンプ６１により増幅されたレベル信号は、第２差動信号生成回路６３の反転入力端子に入力される。第２差動信号生成回路６３は、非反転入力端子に入力される第２のアンプ５９の出力信号のレベルが、反転入力端子に入力される第４のアンプ６１のレベルより高い場合、ハイレベルを出力し、逆の場合には、ローレベルを出力する。すなわち、第２差動信号生成回路６３は、図９に示すように、第１遮光部３１ｅと第１透光部３１ｆとによって形成される明暗のピッチＰに対応した周期Ｔのデジタル的な波形のＢ相信号ＳＧ２を出力する。
【００６３】
上述のように、第１の受光素子５４から出力されるレベル信号と、第２の受光素子５５から出力されるレベル信号とは位相が９０°異なっている。そのため、図９に示すように、第１差動信号生成回路６２から出力されるＡ相信号ＳＧ１と、第２差動信号生成回路６３から出力されるＢ相信号ＳＧ２とは、位相が９０°ずれている。
【００６４】
なお、図９（Ａ）では、キャリッジ３が０桁側から８０桁側へ移動するときの信号波形を示し、図９（Ｂ）では、キャリッジ３が８０桁側から０桁側へ移動するときの信号波形を示している。すなわち、図９（Ａ）に示すように、Ｂ相信号ＳＧ２がローレベルでＡ相信号ＳＧ１が立ち上がる場合（または、Ｂ相信号ＳＧ２がハイレベルでＡ相信号ＳＧ１が立ち下がる場合等）には、キャリッジ３が０桁側から８０桁側へ移動している。また、図９（Ｂ）に示すように、Ｂ相信号ＳＧ２がローレベルでＡ相信号ＳＧ１が立ち下がる場合（または、Ｂ相信号ＳＧ２がハイレベルでＡ相信号ＳＧ１が立ち上がる場合等）には、キャリッジ３が８０桁側から０桁側へ移動している。
【００６５】
また、発光部４１から発光される光は、リニアスケール３１の短手方向（図８（Ａ）の上下方向）では、図８（Ａ）に示すように、所定の幅Ｗでリニアスケール３１に照射されている。より具体的には、第２透光部３１ｈに斜線状の光遮断部３１ｍが形成されていても、第２透光部３１ｈに汚れが生じていなければ、リニアスケール３１の長手方向における第２透光部３１ｈの一部に発光部４１からの光を完全に遮断する部分が生じないような短手方向の所定の幅Ｗで、発光部４１からリニアスケール３１に光が照射されている。そのため、第２透光部３１ｈに光遮断部３１ｍが形成されていても、リニアスケール３１に汚れが生じておらず、かつ、キャリッジ３が一定速度で移動する場合であれば、リニアスケール３１の汚れ検出パターン３１ｃが形成された部分をフォトセンサ３２が通過するときには、リニアスケール３１の位置検出パターン３１ｂが形成された部分をフォトセンサ３２が通過するときと同じ周期のＡ相信号ＳＧ１およびＢ相信号ＳＧ２がリニアエンコーダ３３から出力される。
【００６６】
（プリンタの概略動作）
以上のように構成されたプリンタ１では、給紙ローラ１２や分離パッド１３によってホッパ１１からプリンタ１の内部に取り込まれた印刷用紙Ｐを、ＰＦモータ５で回転駆動されたＰＦ駆動ローラ６で副走査方向ＳＳへ送りながら、ＣＲモータ４で駆動されたキャリッジ３が主走査方向ＭＳで往復移動する。キャリッジ３が往復移動する際には、印刷ヘッド２からインク滴が吐出され、印刷用紙Ｐへの印刷が行われる。また、印刷用紙Ｐへの印刷が終了すると、排紙駆動ローラ１５等によって印刷用紙Ｐはプリンタ１の外部へ排出される。
【００６７】
キャリッジ３が移動すると、リニアエンコーダ３３からＡ相信号ＳＧ１およびＢ相信号ＳＧ２が出力される。出力されたＡ相信号ＳＧ１およびＢ相信号ＳＧ２は、制御部３７の所定の処理回路（たとえば、ＡＳＩＣ等）へ入力される。入力されたリニアエンコーダ３３からのＡ相信号ＳＧ１およびＢ相信号ＳＧ２を利用して、制御部３７の所定の処理回路は、キャリッジ３の位置、速度および移動方向の検出（すなわち、ＣＲモータ４の回転位置、回転方向および回転速度の検出）を行う。そして、検出結果に基づいて、プリンタ１の制御を行う。たとえば、ＣＲモータ４の回転速度の制御等を行う。
【００６８】
（リニアスケールの汚れ検出時のプリンタの動作）
図１０は、図３のリニアスケール３１の汚れ検出時におけるプリンタ１の一連の動作を示すフローチャートである。図１１は、図３のリニアスケール３１の汚れ検出動作の一例を示すフローチャートである。図１２は、図３のリニアスケール３１の汚れ検出動作の他の例を示すフローチャートである。図１３は、図３のリニアスケール３１に汚れが生じた時のリニアエンコーダ３３から出力される信号波形の例を示す図である。図１４は、図８のＥ部を拡大して示す部分拡大図である。
【００６９】
印刷用紙Ｐへの印刷を行うため、印刷ヘッド２からインク滴が吐出されると、印刷ヘッド２からインク滴が吐出される際等に、インク滴の一部が霧状になって空気中を浮遊するインクミストが発生する。このインクミストは、プリンタ１の内部を浮遊し、リニアスケール３１やフォトセンサ３２の発光面４１ａ、受光面４２ａに汚れとして付着する。インクミストによってリニアスケール３１や、発光面４１ａ、受光面４２ａに汚れが生じると、キャリッジ３の位置や速度等を適切に検出することができなくなるため、プリンタ１では、リニアスケール３１の汚れの検出が行われる。以下、リニアスケール３１の汚れ検出時におけるプリンタ１の一連の動作を説明する。
【００７０】
図１０に示すように、まず、制御部３７がリニアスケール３１の汚れの検出タイミングであるか否かを判断する（ステップＳ１）。リニアスケール３１の汚れの検出タイミングは、たとえば、１枚の印刷用紙Ｐへの印刷終了後、または、プリンタ１の電源投入時である。リニアスケール３１の汚れの検出タイミングが１枚の印刷用紙Ｐへの印刷終了後であると、検出回数を増やすことができ、リニアスケール３１の汚れを適切なタイミングで検出することができる。また、リニアスケール３１の汚れの検出タイミングがプリンタ１の電源投入時であると、立上げ時のプリンタ１の初期動作でリニアスケール３１の汚れ検出が可能となり、別途、リニアスケール３１の汚れの検出動作を行う必要がなくなる。そのため、リニアスケール３１の汚れの検出動作によるロスタイムをなくすことができる。
【００７１】
また、リニアスケール３１の汚れの検出タイミングは、たとえば、プリンタ１の電源投入後の一定時間ｔ１経過後、また、その後は一定時間ｔ２経過後ごとであっても良い。この場合、一定時間ｔ１と一定時間ｔ２とは同じで時間であっても良いし、異なる時間であっても良い。さらに、リニアスケール３１の汚れの検出タイミングは、電源投入後の一定枚数ｎ１の印刷用紙Ｐへの印刷終了後、また、その後は一定枚数ｎ２の印刷用紙Ｐへの印刷終了後ごとであって良い。この場合、一定枚数ｎ１と一定枚数ｎ２とは同じで枚数であっても良いし、異なる枚数であっても良い。さらにまた、リニアスケール３１の汚れの検出タイミングは、プリンタ１の電源投入後の一定時間ｔ１の経過と、一定枚数ｎ１の印刷用紙Ｐへの印刷の終了とのいずれか早い方、また、その後は一定時間ｔ２の経過と、一定枚数ｎ２の印刷用紙Ｐへの印刷の終了とのいずれか早い方といったように、経過時間と印刷枚数との両者を利用してリニアスケール３１の汚れの検出タイミングを定めても良い。なお、印刷枚数で検出タイミングを定める場合には、Ａ４サイズの用紙へ縁無し印刷したときの枚数換算で一定枚数ｎ１やｎ２を定めても良い。
【００７２】
ステップＳ１で、検出タイミングでないと判断されると、リニアスケール３１の汚れの検出は行われず、プリンタ１はたとえば、待機状態となったり、次の印刷用紙Ｐへの印刷を行う。一方、ステップＳ１で検出タイミングであると判断されると、キャリッジ３がホームポジションあるいは所定の位置へ移動する（ステップＳ２）。
【００７３】
その後、所定の前処理を行う（ステップＳ３）。ステップＳ３では、たとえば、可変抵抗５２を調整することで発光素子５０からの発光量を増減する。後述のように、第２透光部３１ｈに付着したインクミストにより（すなわち、第２透光部３１ｈの汚れにより）、第２透光部３１ｈの、リニアスケール３１の長手方向の一部に、所定の幅Ｗの範囲にわたって、発光部４１からの光を遮断する部分が発生すると、または、第２透光部３１ｈで、所定の幅Ｗの範囲にわたって、発光部４１からの光が遮断されると、リニアスケール３１に汚れが生じていることが検出される。そのため、発光素子５０からの発光量が多ければ、第２透光部３１ｈにインクミストが付着していても、第２透光部３１ｈの汚れの程度が大きくなければ、リニアスケール３１の汚れは検出されない。また、発光素子５０からの発光量が少なければ、第２透光部３１ｈの汚れの程度が小さくても、リニアスケール３１の汚れが検出される。このように、発光素子５０からの発光量を増減することで、リニアスケール３１の汚れの程度を検出することが可能となる。なお、ステップＳ３での前処理は必ずしも必要でなく、このステップＳ３を省略しても良い。
【００７４】
ステップＳ３での前処理が終了すると、実際にリニアスケール３１の汚れの検出と、必要に応じた処理を行う（ステップＳ４）。ステップＳ４では、図１１に示すように、まず、ＣＲモータ４の駆動電圧の設定を行う（ステップＳ１１）。より具体的には、加速が完了した後のキャリッジ３が略一定速度で移動するように、一定の駆動電圧を設定する。また、ＣＲモータ４の駆動時間の設定を行う（ステップＳ１２）。より具体的には、ホームポジションあるいは所定の場所に位置するキャリッジ３に固定されたフォトセンサ３２がリニアスケール３１の汚れ検出パターン３１ｃの部分を略一定速度で通過するようにＣＲモータ４の駆動時間を設定する。
【００７５】
その後、上述のように設定された駆動電圧および駆動時間でＣＲモータ４を駆動する（ステップＳ１３）。ＣＲモータ４の駆動によってキャリッジ３が移動し、キャリッジ３に固定されたフォトセンサ３２はリニアスケール３１に対して相対移動する。この相対移動によって、リニアエンコーダ３３は、たとえば、周期ＴのＡ相信号ＳＧ１およびＢ相信号ＳＧ２を出力する。リニアエンコーダ３３の出力信号であるＡ相信号ＳＧ１およびＢ相信号ＳＧ２は制御部３７に入力される。すなわち、制御部３７は、リニアコーダ３３の出力信号を取得する（ステップＳ１４）。
【００７６】
その後、制御部３７はリニアスケール３１に汚れが生じているか否かを判断する（ステップＳ１５）。リニアスケール３１にインクミストが付着すると、たとえば、図１４に示すように、第２透光部３１ｈにもインクミストの付着部分Ｄ１、Ｄ２、Ｄ３が生じる。そして、付着部分Ｄ１、Ｄ２および光遮断部３１ｍによって、第２透光部３１ｈには、リニアスケール３１の長手方向の一部で所定の幅Ｗの範囲にわたって、発光部４１からの光を遮断する部分が生じる。あるいは、インクミストの付着によって、第２透光部３１ｈで発光部４１からの光が遮断される。リニアスケール３１の長手方向の一部に所定の幅Ｗの範囲にわたって、発光部４１からの光を遮断する部分が生じると、あるいは、第２透光部３１ｈで所定の幅Ｗの範囲にわたって、発光部４１からの光が遮断されると、リニアエンコーダ３３から出力されるＡ相信号ＳＧ１やＢ相信号ＳＧ２の周期に変動が生じる。本形態では、リニアエンコーダ３３から出力されるＡ相信号ＳＧ１やＢ相信号ＳＧ２の周期に所定の変動が生じたときに、リニアスケール３１の長手方向の一部に所定の幅Ｗの範囲にわたって、発光部４１からの光を遮断する部分が生じている、あるいは、第２透光部３１ｈで発光部４１からの光が遮断されていると判断する。そして、その状態では、リニアスケール３１に汚れが生じていると判断する。
【００７７】
より具体的には、ステップＳ１５では、汚れ検出パターン３１ｃが形成された部分をフォトセンサ３２が通過する際のＡ相信号ＳＧ１やＢ相信号ＳＧ２の周期（または、周波数）が基本となる周期Ｔ（または、周波数）の±ｘ％（たとえば、±１５％）の範囲から外れているか否かを判断する。Ａ相信号ＳＧ１やＢ相信号ＳＧ２の周期が基本となる周期Ｔの±ｘ％の範囲から外れていない場合には、汚れ検出パターン３１ｃが形成された部分でも、リニアエンコーダ３３での正確な位置の検出は可能（すなわち、正確な読取は可能）となる（ステップＳ１６）。すなわち、この場合には、第２透光部３１ｈには、リニアスケール３１の長手方向の一部で所定の幅Ｗの範囲にわたって、発光部４１からの光を遮断する部分が生じておらず、また、第２透光部３１ｈで所定の幅Ｗの範囲にわたって、発光部４１からの光が遮断されていないため、リニアスケール３１に汚れが生じていないと判断する。また、リニアスケール３１に汚れが生じていないため、リニアエンコーダ３３での適切な位置検出が可能であると判断する。
【００７８】
リニアスケール３１に汚れが生じていないと判断すると、ＣＲモータ４の駆動時間が設定時間以上であるか否かを判断する（ステップＳ１７）。ＣＲモータ４の駆動時間が設定時間未満である場合には、ステップＳ１４へ戻って、制御部３７は、リニアコーダ３３の出力信号を取得する。また、ＣＲモータ４の駆動時間が設定時間以上である場合には、ＣＲモータ４を停止する（ステップＳ１７）。たとえば、キャリッジ３がホームポジションに位置した状態で、ＣＲモータ４を停止して、ステップＳ４でのリニアスケール３１の汚れの検出が終了する。
【００７９】
一方、たとえば、図１３（Ａ）に示すように、Ａ相信号ＳＧ１やＢ相信号ＳＧ２の周期Ｔ１が周期Ｔの±ｘ％の範囲から外れている場合には、図１４に示すように、付着部分Ｄ１、Ｄ２および光遮断部３１ｍによって、第２透光部３１ｈには、リニアスケール３１の長手方向の一部で所定の幅Ｗの範囲にわたって、発光部４１からの光を遮断する部分が生じており、汚れ検出パターン３１ｃが形成された部分では、リニアエンコーダ３３での正確な位置の検出は不可能（すなわち、正確な読取は不可能）となる（ステップＳ１９）。すなわち、この場合には、リニアスケール３１に汚れが生じていると判断する。また、リニアスケール３１に汚れが生じているため、そのままの状態では、リニアエンコーダ３３で誤った位置検出が行われる可能性が高いと判断する。リニアスケール３１に汚れが生じていると判断すると、ＣＲモータ４を停止する（ステップＳ２０）。
【００８０】
なお、図１４に示すように、第２透光部３１ｈに、付着部分Ｄ１、Ｄ２および光遮断部３１ｍによって、リニアスケール３１の長手方向の一部に所定の幅Ｗの範囲にわたって、発光部４１からの光を遮断する部分が生じる場合には、図１３（Ａ）に示すように、Ａ相信号ＳＧ１やＢ相信号ＳＧ２の周期Ｔ１は周期Ｔに比べ短くなる。これに対し、インクミストによって、第２透光部３１ｈが所定の幅Ｗの範囲にわたって遮断される場合には、Ａ相信号ＳＧ１やＢ相信号ＳＧ２の周期は周期Ｔに比べ長くなる。
【００８１】
ステップＳ２０でＣＲモータ４を停止すると、プリンタ１は所定の処理を行う（ステップＳ２１）。リニアスケール３１に汚れが生じている場合には、フォトセンサ３２の発光面４１ａや受光面４２ａにも汚れが生じていると推定される。そのため、ステップＳ２１では、発光面４１ａや受光面４２ａ（具体的には、発光面４１ａや受光面４２ａに固定されたレンズ（図示省略））の清掃を行う。より具体的には、まず、ＣＲモータ４でキャリッジ３を８０桁側の所定の位置まで移動する。その後、この所定の位置と、発光面４１ａおよび受光面４２ａと清掃部材８３、８３とが当接して発光面４１ａおよび受光面４２ａの清掃が行われる位置との間をキャリッジ３が所定の回数、往復移動するように、所定の電圧でＣＲモータ４を駆動する。すなわち、キャリッジ３の往復移動によって、清掃部材８３、８３で発光面４１ａおよび受光面４２ａの清掃を行う。このように、本形態では、キャリッジ３は、発光部４１の発光面４１ａおよび受光部４２の受光面４２ａに対して清掃部材８３、８３を相対移動させる清掃部材移動手段となっている。
【００８２】
なお、ステップＳ２１では、さらに、リニアスケール３１の清掃を行っても良い。リニアスケール３１の清掃によって、リニアエンコーダ３３での誤検出を確実に防止することが可能となる。
【００８３】
また、ステップＳ２１では以下の処理を行う。
【００８４】
たとえば、ステップＳ２１では、何枚の印刷用紙Ｐへ印刷を行うとリニアスケール３１に汚れが生じるか、または、リニアスケール３１の汚れの検出タイミングが所定時間ごとにある場合には、どれぐらいの時間、印刷を行うとリニアスケール３１に汚れが生じるかを確認する。より具体的には、リニアスケール３１に汚れが生じるまでの印刷枚数や印刷時間を制御部３７が算出する。この確認によって、リニアスケール３１に汚れが生じるまでの印刷枚数や印刷時間の把握が可能となる。
【００８５】
また、ステップＳ２１では、たとえば、プリンタ１の本体シャーシ８に取り付けられた液晶ディスプレイ等の表示装置（図示省略）に、リニアスケール３１に汚れが生じているとの注意メッセージや、リニアスケール３１の汚れに起因するエラーメセージ、あるいは、リニアスケール３１の清掃が必要である旨のメッセージを表示する。これらのメッセージの表示によって、リニアスケール３１に汚れが生じていることをユーザに知らせることができ、リニアスケール３３での誤検出によるプリンタ１の動作不良を防止することが可能になる。
【００８６】
さらに、ステップＳ２１では、たとえば、プリンタ１の動作を停止して、プリンタ１を使用不可とする。プリンタ１を使用不可とすることで、リニアスケール３３での誤検出によるプリンタ１の動作不良を防止し、キャリッジ３の暴走等によるユーザの怪我等を防止することができる。また、ステップＳ２１では、その後さらに所定時間印刷をした後、または、さらに所定枚数の印刷をした後に、プリンタ１が動作を停止するように、制御部３７が所定の設定を行っても良い。
【００８７】
さらにまた、ステップＳ２１では、たとえば、制御部３７は、キャリッジ３の移動速度の上限を設定する。リニアスケール３１に汚れが生じて、第１透光部３１ｆを透過して受光部４２で受光される光量の低下等が生じても、キャリッジ３の移動速度がある程度遅ければ、リニアエンコーダ３３での誤検出は回避することができる。そのため、キャリッジ３の移動速度の上限を設定することで、リニアスケール３１に汚れが生じていても、リニアエンコーダ３３での誤検出を防止することが可能となる。その結果、プリンタ１では、さらに所定枚数あるいは所定時間の印刷が可能となる。なお、ステップＳ２１では、ＰＦ駆動ローラ６による印刷用紙Ｐの送り速度の上限を設定しても良い。
【００８８】
また、ステップＳ２１では、たとえば、可変抵抗５２を調整して、発光素子５０からの発光量を増加する。発光素子５０の発光量を増加することで、リニアスケール３１に汚れが生じていても汚れの程度がそれ程大きくなければ、プリンタ１では、さらに所定枚数あるいは所定時間の印刷が可能となる。この場合、発光素子５０の発光量は可変抵抗５２で調整できるため、発光素子５０の発光量の増加を容易に行うことができる。なお、発光素子５０の発光量は、さらに所定枚数あるいは所定時間の印刷が可能と程度の増加率で、可変抵抗５２によって段階的に増加させても良い。この場合には、発光部４１での消費電力の低減が可能となる。
【００８９】
さらに、ステップＳ２１では、たとえば、スケール昇降機構４４がリニアスケール３１を下降させる。すなわち、リニアスケール３１において、発光部４１からの光が照射される所定の幅Ｗの部分（図８（Ａ）参照）を上側へ相対移動する。リニアスケール３１の短手方向を高さ方向としてリニアスケール３１が支持フレーム１６に取り付けられているため、印刷ヘッド２からのインクの吐出によって生じるインクミストは、リニアスケール３１の下側部分に付着し、リニアスケール３１の下側部分に汚れが生じやすくなる。そのため、スケール昇降機構４４がリニアスケール３１を下降させることで、汚れの少ないリニアスケール３１の上側部分を利用したキャリッジ３の位置検出が可能となる。その結果、プリンタ１では、さらに所定枚数あるいは所定時間の印刷が可能となる。
【００９０】
以上のようなステップＳ２１での処理が終了すると、ステップＳ４でのリニアスケール３１の汚れの検出および処理が終了する。
【００９１】
なお、上述した例では、ステップＳ１５で、汚れ検出パターン３１ｃが形成された部分をフォトセンサ３２が通過する際のＡ相信号ＳＧ１やＢ相信号ＳＧ２の周期（周波数）が基本となる周期Ｔ（周波数）の±ｘ％（たとえば、±１５％）の範囲から外れているか否かを判断することで、リニアスケール３１に汚れが生じているか否かを判断する。この他にもたとえば、図１２に示すフローチャートのように、汚れ検出パターン３１ｃが形成された部分をフォトセンサ３２が通過する際のＡ相信号ＳＧ１とＢ相信号ＳＧ２との位相に逆転が生じているか否かを判断する（ステップＳ２５）ことで、リニアスケール３１に汚れが生じているか否かを判断しても良い。
【００９２】
より具体的には、以下のように、リニアスケール３１に汚れが生じているか否かを判断しても良い。すなわち、たとえば、図１３（Ｂ）に示すように、キャリッジ３が０桁側から８０桁側へ移動する際、Ｂ相信号ＳＧ２がローレベルのときに立ち上がっていたＡ相信号ＳＧ１が、Ｂ相信号ＳＧ２がハイレベルのときに立ち上がる（すなわち、Ａ相信号ＳＧ１とＢ相信号ＳＧ２との位相に逆転が生じる）場合、図１４に示すように、付着部分Ｄ１、Ｄ２および光遮断部３１ｍによって、リニアスケール３１の長手方向の一部に所定の幅Ｗの範囲にわたって、発光部４１からの光を遮断する部分が生じている。そのため、汚れ検出パターン３１ｃが形成された部分では、リニアエンコーダ３３での正確な位置の検出は不可能（すなわち、正確な読取は不可能）となる（ステップＳ１９）。この場合には、リニアスケール３１に汚れが生じていると判断する。また、リニアスケール３１に汚れが生じているため、そのままの状態では、リニアエンコーダ３３で誤った位置検出が行われる可能性が高いと判断する。
【００９３】
また、ステップＳ１５とステップＳ２５との組合せでリニアスケール３１に汚れが生じているか否かを判断しても良い。すなわち、汚れ検出パターン３１ｃが形成された部分をフォトセンサ３２が通過する際のＡ相信号ＳＧ１やＢ相信号ＳＧ２の周期（周波数）が基本となる周期Ｔ（周波数）の±ｘ％の範囲から外れているか否かを判断するとともに、汚れ検出パターン３１ｃが形成された部分をフォトセンサ３２が通過する際のＡ相信号ＳＧ１とＢ相信号ＳＧ２との位相に逆転が生じているか否かを判断することで、リニアスケール３１に汚れが生じているか否かを判断しても良い。
【００９４】
（本形態の主な効果）
以上説明したように、本形態のリニアエンコーダ３３は、発光面４１ａや受光面４２ａに当接して、発光面４１ａや受光面４１ａの清掃を行う清掃部材８３、８３を備えている。そのため、発光面４１ａや受光面４１ａの汚れを除去することができ、リニアエンコーダ３３での誤検出の発生を抑制することができる。また、本形態では、清掃部材８３、８３はリニアスケール３１に固定されている。そのため、キャリッジ３の位置検出を行う際に、発光面４１ａや受光面４２ａに常時当接しない位置で、リニアスケール３１に清掃部材８３、８３を固定することができ、その結果、キャリッジ３の位置検出精度の低下を抑制することができる。
【００９５】
また、本形態では、リニアスケール３１が、キャリッジ３の位置を検出するための位置検出パターン３１ｂに加え、汚れ検出パターン３１ｃを備え、汚れ検出パターン３１ｃの部分をフォトセンサ３２が通過したときの受光部４２の受光結果に基づいて、制御部３７がリニアスケール３１の汚れが検出されたとき、清掃部材８３、８３によって発光面４１ａおよび受光面４２ａの清掃を行っている。すなわち、発光部４１から発光され第２透光部３１ｈを透過する光の受光部４２での検出結果からリニアスケール３１の汚れが検出されたときには、発光面４１ａや受光面４２ａにも汚れが生じていると推定されるため、発光面４１ａや受光面４２ａの清掃を行っている。そのため、発光面４１ａや受光面４２ａの清掃が必要となる適切な時期にのみ、発光面４１ａや受光面４２ａの清掃をすることができ、無駄な清掃動作を省くことができる。
【００９６】
特に、本形態では、清掃部材８３、８３は、位置検出パターン３１ｂや汚れ検出パターン３１ｃが形成される領域と異なる領域でリニアスケール３１に固定されている。そのため、キャリッジ３の位置検出やリニアスケール３１の汚れの検出に影響を与えることなく、発光面４１ａや受光面４２ａの清掃を行うことができる。すなわち、キャリッジ３の位置検出精度やリニアスケール３１の汚れの検出精度を低下させることなく、清掃部材８３、８３によって、発光面４１ａや受光面４２ａの清掃を行うことができる。
【００９７】
本形態では、汚れ検出パターン３１ｃは、リニアスケール３１の長手方向における位置検出パターン３１ｂの外側に配置され、清掃部材８３、８３は、リニアスケール３１の長手方向における汚れ検出パターン３１ｃの外側に配置されている。そのため、キャリッジ３の位置検出に影響を与えることなく、リニアスケール３１の汚れを検出することができる。また、印刷用紙Ｐへの印刷時に０桁側から８０桁側へ移動するキャリッジ３をさらに、リニアスケール３１の長手方向へ移動させるという簡易な構成で、すなわち、キャリッジ３の位置検出時に、リニアスケール３１の長手方向に移動する発光部４１および受光部４２をさらに、リニアスケール３１の長手方向へ移動させるという簡易な構成で、リニアスケール３１の汚れの検出と、発光面４１ａや受光面４２ａの清掃とを行うことができる。
【００９８】
本形態では、第２透光部３１ｈには、第２透光部３１ｈの発光部４１からの光の透過面積を第１透光部３１ｆの発光部４１からの光の透過面積よりも小さくする、すなわち、第２透光部３１ｈの発光部４１からの光の透過率を第１透光部３１ｆの発光部４１からの光の透過率よりも低くする遮光パターン３１ｋが形成されている。そのため、リニアスケール３１にインクミストが汚れとして付着すると、第２透光部３１ｈでは、第１透光部３１ｆに比べ、リニアスケール３１の長手方向の一部に所定の幅Ｗの範囲にわたって、光が遮断される部分が生じやすくなる。また、第２透光部３１ｈでは、第１透光部３１ｆに比べ、光が遮断されやすくなる。たとえば、図１４に示すように、付着部分Ｄ１、Ｄ２および光遮断部３１ｍによって、リニアスケール３１の長手方向の一部に所定の幅Ｗの範囲にわたって、発光部４１からの光を遮断する部分が生じやすくなる。したがって、キャリッジ３の位置検出に用いられる第１透光部３１ｆにおいて、リニアスケール３１の長手方向の一部または全部で所定の幅Ｗの範囲にわたって光が遮断され、リニアエンコーダ３３での誤検出が発生する前に、汚れ検出パターン３１ｃが形成された部分をフォトセンサ３２が通過する際のリニアエンコーダ３３からのＡ相信号ＳＧ１やＢ相信号ＳＧ２によって、リニアスケール３１の汚れを検出することができる。
【００９９】
（他の実施の形態）
上述した形態は、本発明の好適な実施の形態の例であるが、本発明はこれに限定されるものではなく、本発明の要旨を逸脱しない範囲において種々の変形、変更が可能である。
【０１００】
上述した形態では、キャリッジ３（具体的にはフォトセンサ３２）がリニアスケール３１の長手方向に移動することで、清掃部材８３、８３が発光面４１ａおよび受光面４２ａに当接して、発光面４１ａおよび受光面４２ａの清掃が行われている。この他にもたとえば、リニアスケール３１の長手方向で、清掃部材８３、８３と発光面４１ａおよび受光面４２ａとの位置合わせをした後に、スケール昇降機構４４でリニアスケール３１を上下動させることで、清掃部材８３、８３によって、発光面４１ａおよび受光面４２ａの清掃を行っても良い。この場合には、スケール昇降機構４４は、発光部４１および受光部４２に対して清掃部材８３、８３を相対移動させる清掃部材移動手段となる。
【０１０１】
また、上述した形態では、リニアスケール３１の８０桁側に清掃部材８３、８３が固定されているが、リニアスケール３１の０桁側で、位置検出パターン３１ｂの主走査方向ＭＳの外側に清掃部材８３、８３が固定されても良い。
【０１０２】
さらに、上述した形態では、清掃部材８３、８３は、リニアスケール３１の長手方向における位置検出パターン３１ｂの外側に固定されている。この他にもたとえば、図１５に示すように、リニアスケール３１の短手方向で位置検出パターン３１ｂに隣接するように、リニアスケール３１の両面のそれぞれに清掃部材８３、８３を固定しても良い。この場合には、リニアスケール３１の長手方向で、リニアエンコーダ３３の小型化を図ることができる。また、この場合であっても、清掃部材８３、８３は、位置検出パターン３１ｂや汚れ検出パターン３１ｃが形成される領域と異なる領域でリニアスケール３１に固定されているため、キャリッジ３の位置検出やリニアスケール３１の汚れ検出に影響を与えることなく、発光面４１ａや受光面４２ａの清掃を行うことができる。すなわち、キャリッジ３の位置検出精度やリニアスケール３１の汚れ検出精度を低下させることなく、清掃部材８３、８３によって、発光面４１ａや受光面４２ａの清掃を行うことができる。なお、清掃部材８３、８３を、リニアスケール３１の短手方向で汚れ検出パターン３１ｃに隣接するように、リニアスケール３１に固定しても良い。
【０１０３】
また、リニアスケール３１の短手方向で位置検出パターン３１ｂに隣接するように、リニアスケール３１に清掃部材８３、８３を固定する場合、図１５に示すように、位置検出パターン３１ｂの下側に清掃部材８３、８３を固定しても良いし、位置検出パターン３１ｂの上側に清掃部材８３、８３を固定しても良い。また、位置検出パターン３１ｂの上下両側に清掃部材８３、８３を固定しても良い。
【０１０４】
なお、図１５に示すように、リニアスケール３１の短手方向で位置検出パターン３１ｂに隣接するように、リニアスケール３１の両面に清掃部材８３、８３が固定される場合、印刷用紙Ｐへの印刷時には、発光部４１と受光部４２とは、リニアスケール３１の位置検出パターン３１ｂを挟み込むように対向している。そして、発光面４１ａおよび受光面４２ａの清掃時には、スケール昇降機構４４でリニアスケール３１を上下動させることで、清掃部材８３、８３を発光面４１ａおよび受光面４２ａに当接させて、発光面４１ａおよび受光面４２ａの清掃を行う。また、スケール昇降機構４４によって、リニアスケール３１を上昇（または下降）させた後、ＣＲモータ４を駆動して、キャリッジ３をリニアスケール３１の長手方向に移動させることで、清掃部材８３、８３によって、発光面４１ａおよび受光面４２ａの清掃を行うこともできる。
【０１０５】
さらにまた、上述した形態では、汚れ検出パターン３１ｃは、リニアスケール３１の長手方向における位置検出パターン３１ｂの外側に配置されている。この他にもたとえば、図１６（Ａ）、（Ｂ）に示すように、汚れ検出パターン３１ｃは、リニアスケール３１の短手方向で位置検出パターン３１ｂに隣接して配置されても良い。この場合には、清掃部材８３、８３は、図１６（Ａ）に示すように、リニアスケール３１の長手方向における位置検出パターン３１ｂや汚れ検出パターン３１ｃの外側（たとえば、８０桁側）に配置されても良いし、図１６（Ｂ）に示すように、リニアスケール３１の短手方向で汚れ検出パターン３１ｃに隣接して配置されても良い。
【０１０６】
清掃部材８３、８３が、図１６（Ａ）に示すように配置される場合には、リニアスケール３１の長手方向にキャリッジ３が移動することで行われるキャリッジ３の位置検出に影響を与えることなく、リニアスケール３１の汚れを検出することができる。また、キャリッジ３の位置検出時に、リニアスケール３１の長手方向に移動するキャリッジ３をさらに、リニアスケール３１の長手方向へ相対的に移動させるという簡易な構成で、発光面４１ａや受光面４２ａの清掃を行うことができる。また、清掃部材８３、８３が、図１６（Ｂ）に示すように配置される場合には、リニアスケール３１の長手方向で、リニアエンコーダ３３の小型化を図ることができる。なお、清掃部材８３、８３は、位置検出パターン３１ｂに隣接するように（すなわち、図１６（Ｂ）における位置検出パターン３１ｂの上側）、配置されても良い。
【０１０７】
また、上述した形態では、第２透光部３１ｈには、斜線状の光遮断部３１ｍからなる遮光パターン３１ｋが形成されている。この他にもたとえば、図１６（Ｃ）に示すように、矩形状の光透過部３１ｐとともに市松模様状に配置される矩形状の光遮断部３１ｑによって遮光パターン３１ｋが形成されても良い。また、図１６（Ｄ）に示すように、第２透光部３１ｈの幅Ｈ１が第１透光部３１ｅの幅Ｈよりも狭く形成されても良い。この場合には、第２透光部３１ｈに遮光パターン３１ｋが形成されなくても良い。なお、第２透光部３１ｈの幅Ｈ１が第１透光部３１ｆの幅Ｈよりも狭く形成される場合、たとえば、第２遮光部３１ｇは幅Ｈ２で形成され、図１６（Ｄ）に示すように、第２透光部３１ｈの幅Ｈ１と第２遮光部３１ｇの幅Ｈ２との和は、第１透光部３１ｆと第１遮光部３１ｅとによって形成される明暗のピッチＰと同じになっている。
【０１０８】
さらに、上述した形態では、リニアエンコーダ３３を例に本発明の実施の形態を説明したが、本発明は、ロータリエンコーダ３６にも適用可能である。以下、ロータリエンコーダ３６に本発明の構成を適用した場合の形態を説明する。
【０１０９】
たとえば、図１７（Ａ）に示すように、回動可能な回転部材８７に固定されたブラケット８６に制御基板８５を介してフォトセンサ３５が固定されている。また、ロータリスケール３４には、外周端側に位置検出パターン３４ｂが形成され、位置検出パターン３４ｂの径方向内側に汚れ検出パターン３４ｃが形成されている。ロータリスケール３４の両面には、汚れ検出パターン３４ｃのさらに径方向内側で、清掃部材８３、８３が固定されている。なお、図１７（Ｂ）は、図１７（Ａ）のＦ−Ｆ断面を示している。また、位置検出パターン３４ｂは、リニアスケール３１の位置検出パターン３１ｂと同様に構成され、汚れ検出パターン３４ｃは、リニアスケール３１の汚れ検出パターン３１ｃと同様に構成されている。
【０１１０】
図１７に示すロータリエンコーダ３６では、印刷用紙Ｐへの印刷時等に被検出物となるＰＦ駆動ローラ６の位置検出を行う際には、発光部８１と受光部８２とは、ロータリスケール３４の位置検出パターン３４ｂを挟み込むように対向している。また、ロータリスケール３４の汚れ検出時には、発光部８１と受光部８２とが汚れ検出パターン３４ｃを挟み込んで対向するように、回転部材８７を中心としてブラケット８６とともにフォトセンサ３５を回動させる。そして、発光素子８１の発光面８１ａおよび受光素子８２の受光面８２ａの清掃時には、回転部材８７を中心としてブラケット８６とともにフォトセンサ３５を揺動させることで、清掃部材８３、８３を発光面８１ａおよび受光面８２ａに当接させて、発光面４１ａおよび受光面４２ａの清掃を行う。また、清掃部材８３、８３が発光面８１ａおよび受光面８２ａに当接するまでフォトセンサ３５を回動させた後に、ＰＦモータ５を駆動することで、ロータリスケール３４を回転させて、発光面８１ａおよび受光面８２ａの清掃を行っても良い。なお、この場合には、回転部材８７を回動させる駆動手段が、発光部８１の発光面８１ａおよび受光部８２の受光面８２ａに対して清掃部材８３、８３を相対移動させる清掃部材移動手段となる。
【０１１１】
このように、図１７に示すロータリエンコーダ３６であっても、ＰＦ駆動ローラ６の位置検出を行う際に、発光面８１ａや受光面８２ａに常時当接しない位置で、ロータリスケール３４に清掃部材８３、８３を固定することができ、その結果、ＰＦ駆動ローラ６の位置検出精度の低下を抑制することができる。また、清掃部材８３、８３は、位置検出パターン３４ｂや汚れ検出パターン３４ｃが形成される領域と異なる領域でロータリスケール３４に固定されているため、ＰＦ駆動ローラ６の位置検出やロータリスケール３４の汚れ検出に影響を与えることなく、発光面８１ａや受光面８２ａの清掃を行うことができる。さらに、汚れ検出パターン３４ｃが位置検出パターン３４ｂよりもロータリスケール３４の径方向の内側に配置され、清掃部材８３、８３が汚れ検出パターン３４ｃよりもロータリスケール３４の径方向の内側に配置されているため、ロータリスケール３４の径方向で、ロータリエンコーダ３６の小型化を図ることができる。
【０１１２】
さらにまた、上述した形態および図１７のロータリエンコーダ３６では、リニアスケール３１やロータリスケール３４の両面に清掃部材８３、８３が固定されている。この他にもたとえば、リニアスケール３１やロータリスケール３４の片面のみに清掃部材８３を固定して、発光面４１ａ、８１ａまたは受光面４２ａ、８２ａのいずれか一方のみの清掃を行うようにしても良い。
【０１１３】
また、上述した形態では、第１のアンプ５８からの出力信号と第３のアンプ６０からの出力信号との差動からデジタル信号であるＡ相信号ＳＧ１を生成し、第２のアンプ５９からの出力信号と第４のアンプ６１からの出力信号との差動からデジタル信号であるＢ相信号ＳＧ２を生成している。この他にもたとえば、図１８（Ａ）に示すように、第１のアンプ５８等のアンプの出力信号に所定の閾値Ｃを設定することで、デジタル信号であるＡ相信号等を生成しても良い。すなわち、出力信号の値が閾値Ｃより大きければハイレベルの信号を出力し、出力信号の値が閾値Ｃより小さければローレベルの信号を出力することで、デジタル信号を生成しても良い。この場合のリニアスケール３１の汚れの検出は以下のように行えば良い。
【０１１４】
発光部４１から発光され、第１透光部３１ｆを透過する光量は、第２透光部３１ｈを透過する光量よりも多い。そのため、リニアスケール３１にインクミストが付着していない場合に、たとえば、図１８（Ａ）に示すように、位置検出パターン３１ｂが形成された部分をフォトセンサ３２が通過する際には、アンプから信号ＳＧ１１が出力され、汚れ検出パターン３１ｃが形成された部分をフォトセンサ３２が通過する際には、アンプから信号ＳＧ１１よりも低いレベルの信号ＳＧ１２が出力される。また、信号ＳＧ１１と閾値Ｃとから図１８（Ｂ）に示すデジタル信号ＳＧ１３が生成され、信号ＳＧ１２と閾値Ｃとから図１８（Ｃ）に示すデジタル信号ＳＧ１４が生成される。ここで、発光部４１から発光された光のリニアスケール３１の透過量が多い程、デジタル信号のハイレベルの周期が長くなるため、デジタル信号ＳＧ１３のハイレベルの周期Ｔ１１は、デジタル信号ＳＧ１４のハイレベルの周期Ｔ１２よりも長くなる。また、リニアスケール３１に汚れが発生していない場合には、周期Ｔ１１に対する周期Ｔ１２の比率はたとえば、８０％となっている。
【０１１５】
ここで、リニアスケール３１にインクミストが均等に付着すると、アンプから出力される信号ＳＧ１１、ＳＧ１２のレベルは同程度で低下する。たとえば、図１８（Ｄ）に示すように、信号ＳＧ１１から信号ＳＧ２１までレベルが低下し、信号ＳＧ１２は信号ＳＧ２２までレベルが低下する。また、図１８（Ｅ）に示すように、信号ＳＧ２１と閾値Ｃとから生成されるデジタル信号ＳＧ２３のハイレベルの周期Ｔ２１は、周期Ｔ１１よりも短くなる。また、図１８（Ｆ）に示すように、デジタル信号ＳＧ２４のハイレベルの周期Ｔ２２は、周期Ｔ１２よりも短くなる。
【０１１６】
この場合、図１８に示すように、周期Ｔ１１に対する周期Ｔ１２の比率よりも周期Ｔ２１に対する周期Ｔ２２の比率は低下する。たとえば、周期Ｔ１１に対する周期Ｔ１２の比率が８０％であったのに対し、周期Ｔ２１に対する周期Ｔ２２の比率は５０％となる。そのため、リニアスケール３１にインクミストが付着したときの、位置検出パターン３１ｂに基づくデジタル信号のハイレベルの周期（たとえば、周期Ｔ２１）と、汚れ検出パターン３１ｃに基づくデジタル信号のハイレベルの周期（たとえば、周期Ｔ２２）との比率が所定の値以下になったときに、リニアスケール３１に汚れが生じていると判断することができる。以上のように、アンプの出力信号に所定の閾値Ｃを設定することで、デジタル信号を生成する場合には、上述した方法で、リニアスケール３１の汚れの検出を行うことができる。なお、汚れ検出パターン３１ｃに基づくデジタル信号のハイレベルの周期の、初期状態に対する低下率から、リニアスケール３１の汚れの検出を行うことも可能である。
【０１１７】
また、上述した形態では、スケール昇降機構４４は、支持フレーム１６の一側面１６ａの内側でガイドシャフト１７に固定された偏心カム４５と、一側面１６ａの外側でガイドシャフト１７の先端に固定された従動ギア４７とを備えている。この他にもたとえば、図１９に示すスケール昇降機構９４のように、偏心カム４５に相当する偏心カム９５と従動ギア４７とが一体で形成され、この一体となった偏心カム９５と従動ギア４７とが、一側面１６ａの外側でガイドシャフト１７の先端に回転可能に取り付けられても良い。この場合には、図１９に示すように、取付ブラケット４６には、当接部４６ａが、基部４６ｂからプリンタ１の外側に向かって立ち上がるように形成され、偏心カム９５のカム面９５ａに当接している。また、カム面９５ａはカム面４５ａと同様に形成されている。なお、この場合には、ガイドシャフト１７は回転しない。また、図１９では、図５で図示した構成と共通する構成には、同一の符号を付している。
【０１１８】
さらに、図１５に示すように、リニアスケール３１の短手方向で位置検出パターン３１ｂに隣接するように清掃部材８３、８３が固定される構成においては、プリンタ１が、印刷ヘッド２のノズル面（図２の下面）とプラテン７との隙間（ギャップ）を調整するギャップ調整機構を備えていれば、このギャップ調整機構で発光面４１ａおよび受光面４２ａの清掃を行っても良い。すなわち、ギャップ調整機構で、キャリッジ３に取り付けられたフォトセンサ３２をキャリッジ３とともに上下動させ、清掃部材８３、８３によって発光面４１ａおよび受光面４２ａの清掃を行っても良い。この場合、ギャップ調整機構は、発光部４１および受光部４２に対して清掃部材８３、８３を相対移動させる清掃部材移動手段となる。
【０１１９】
さらにまた、上述した形態のリニアスケール３１の汚れ検出時のステップＳ３の前処理として、副走査方向ＳＳで発光部４１側または受光部４２側にリニアスケール３１を平行移動しても良い。上述のように受光部４１はコリメータレンズ５１を備えている。しかし、受光部４１から発光される光は完全な平行光にはならない。そのため、リニアスケール３１が受光部４２に近い場合の方が受光部４２での適切な検出を行いやすくなる。したがって、リニアスケール３１を発光部４１側に移動すると、第２透光部３１ｈの汚れの程度が小さくても、リニアエンコーダ３３から出力されるＡ相信号ＳＧ１やＢ相信号ＳＧ２の周期に変動が生じやすい。すなわち、リニアスケール３１の汚れが検出されやすい。また、リニアスケール３１を受光部４２側に移動すると、第２透光部３１ｈの汚れの程度が大きくなければ、リニアエンコーダ３３から出力されるＡ相信号ＳＧ１やＢ相信号ＳＧ２の周期に変動が生じにくい。すなわち、リニアスケール３１の汚れは検出されにくい。このように、ステップＳ３で、リニアエンコーダ３１を発光部４１側または受光部４２側に移動させることで、リニアスケール３１の汚れの程度を検出することが可能となる。
【０１２０】
また、上述した形態では、液体吐出装置としてプリンタ１を例に本発明の構成を説明したが、本発明の構成は、たとえば、カラーフィルタ製造装置、染色装置、微細加工装置、半導体製造装置、表面加工装置、三次元造形機、液体気化装置、有機ＥＬ製造装置（特に高分子ＥＬ製造装置）、ディスプレイ製造装置、成膜装置、ＤＮＡチップ製造装置等のインクジェット技術を応用した各種の液体吐出装置にも適用可能である。なお、これらの液体吐出装置で吐出される液体は、たとえば、金属材料、有機材料（特に高分子材料）、磁性材料、導電性材料、配線材料、成膜材料、電子インク等を含む液体や、加工液、遺伝子溶液等になる。
【図面の簡単な説明】
【０１２１】
【図１】実施の形態にかかる液体吐出装置（プリンタ）の概略構成を示す斜視図。
【図２】図１のプリンタの紙送りに関する部分の概略構成を示す概略側面図。
【図３】図１のキャリッジおよび図２のＰＦ駆動ローラの検出機構を示す概略構成図。
【図４】図３のリニアスケールの一端部の取付状態を示した概略斜視図。
【図５】図４の紙面奥側からリニアスケールの一端部の取付状態を示した概略斜視図。
【図６】図４のカムと取付ブラケットとの関係を示す図。
【図７】図３のリニアエンコーダの概略構成を示す模式図。
【図８】図３のリニアスケールの８０桁側を示す図。
【図９】図３のリニアエンコーダから出力される信号波形を示す図。
【図１０】図３のリニアスケールの汚れ検出時におけるプリンタの一連の動作を示すフローチャート。
【図１１】図３のリニアスケールの汚れ検出動作の一例を示すフローチャート。
【図１２】図３のリニアスケールの汚れ検出動作の他の例を示すフローチャート。
【図１３】図３のリニアスケールに汚れが生じた時のリニアエンコーダから出力される信号波形の例を示す図。
【図１４】図８のＥ部を拡大して示す部分拡大図。
【図１５】他の形態にかかるリニアスケールの８０桁側を示す図。
【図１６】他の形態にかかるリニアスケールの８０桁側を示す図。
【図１７】他の形態にかかるロータリエンコーダを示す図。
【図１８】他の形態にかかるリニアスケールの汚れ検出方法を説明するための図。
【図１９】他の形態にかかるリニアスケールの一端部の取付状態を示した概略斜視図。
【符号の説明】
【０１２２】
１  プリンタ（液体吐出装置）、２  印刷ヘッド（液体吐出部）、３  キャリッジ（被検出物）、６  ＰＦ駆動ローラ（被検出物）、３１  リニアスケール（スケール）、３１ｂ・３４ｂ  位置検出パターン、３１ｃ・３４ｃ  汚れ検出パターン、３１ｅ  第１遮光部、３１ｆ  第１透光部、３１ｇ  第２遮光部、３１ｈ  第２透光部、３１ｋ  遮光パターン、３３  リニアエンコーダ（位置検出装置）、３４  ロータリスケール（スケール）、３６  ロータリエンコーダ（位置検出装置）、４１・８１  発光部、４１ａ・８１ａ  発光面、４２・８２  受光部、４２ａ・８２ａ  受光面、８３  清掃部材、Ｐ  印刷用紙（媒体）。
【図１】
2007160715.tif 000003
【図２】
2007160715.tif 000004
【図３】
2007160715.tif 000005
【図４】
2007160715.tif 000006
【図５】
2007160715.tif 000007
【図６】
2007160715.tif 000008
【図７】
2007160715.tif 000009
【図８】
2007160715.tif 000010
【図９】
2007160715.tif 000011
【図１０】
2007160715.tif 000012
【図１１】
2007160715.tif 000013
【図１２】
2007160715.tif 000014
【図１３】
2007160715.tif 000015
【図１４】
2007160715.tif 000016
【図１５】
2007160715.tif 000017
【図１６】
2007160715.tif 000018
【図１７】
2007160715.tif 000019
【図１８】
2007160715.tif 000020
【図１９】
2007160715.tif 000021